(57)【要約】【課題】ユーザーのニーズに的確に応えることを可能とする撮影画像提供システム１を提供する。【解決手段】人物の撮影画像ＩＭの撮影および撮影画像ＩＭの編集は撮影編集装置１０で実行され、編集済みの撮影画像ＩＭの印刷は印刷装置１００で実行される。したがって、印刷を望むユーザーは、撮影編集装置１０で撮影画像ＩＭの撮影・編集を行ってから印刷装置１００で撮影画像ＩＭの印刷を行うことで、印刷された撮影画像ＩＭの提供を受けることができる。また、撮影編集装置１０と印刷装置１００とは分離されており、互いに独立して配置される。そのため、印刷を望まないユーザーは撮影編集装置１０のみを利用すればよく、例えば印刷条件を設定したり印刷の完了を待ったりするのに煩わされることが無い。【選択図】図１
2016014815.tif 000002
【特許請求の範囲】
【請求項１】
撮影編集装置および印刷装置を備え、
前記撮影編集装置は、
人物を撮影して撮影画像を取得する撮影手段と、
前記撮影画像を編集する編集手段と、
前記編集手段により編集された前記撮影画像を外部へ送信する送信手段と
を有し、
前記印刷装置は、
前記撮影編集装置の前記送信手段が外部へ送信した前記撮影画像を受信する受信手段と、
前記受信手段が受信した前記撮影画像を印刷媒体に印刷する印刷手段と
を有し、
前記撮影編集装置と前記印刷装置とは分離されており、互いに独立して配置されることを特徴とする撮影画像提供システム。
【請求項２】
前記送信手段は、前記撮影手段の被写体である人物を識別可能な第１識別情報を前記撮影画像に関連付けて外部に送信し、
前記印刷手段は、ユーザーから入力された前記第１識別情報に対応する前記撮影画像を印刷する請求項１に記載の撮影画像提供システム。
【請求項３】
携帯端末からアクセス可能なサーバーをさらに備え、
前記送信手段は、前記編集手段により編集された前記撮影画像を前記サーバーへ送信し、
前記サーバーは、ユーザーからの要求に応じて前記撮影画像を前記携帯端末に送信する請求項２に記載の撮影画像提供システム。
【請求項４】
前記送信手段は、前記撮影手段の被写体である人物を識別可能な第２識別情報を前記撮影画像に関連付けて前記サーバーに送信し、
前記サーバーは、ユーザーから入力された前記第２識別情報に対応する前記撮影画像を前記携帯端末に送信する請求項３に記載の撮影画像提供システム。
【請求項５】
前記第１識別情報と前記第２識別情報は互いに同一である請求項４に記載の撮影画像提供システム。
【請求項６】
前記携帯端末に送信される撮影画像は、前記印刷手段に送信される撮影画像と比べて低い解像度を有する請求項３ないし５のいずれか一項に記載の撮影画像提供システム。
【請求項７】
１台の前記印刷装置に対して複数台の前記撮影編集装置を備える請求項１ないし６のいずれか一項に記載の撮影画像提供システム。
【請求項８】
前記編集手段は、人物のパーツに対して編集を行うパーツ編集を行う請求項１ないし７のいずれか一項に記載の撮影画像提供システム。
【請求項９】
前記編集手段は、ユーザーが操作可能な操作機器を有し、ユーザーが前記操作機器を操作した結果に基づいて前記撮影画像に落書きを加える落書き編集を行う請求項１ないし８のいずれか一項に記載の撮影画像提供システム。
【請求項１０】
撮影編集装置の撮影機能により人物を撮影して撮影画像を取得する工程と、
前記撮影編集装置の編集機能により前記撮影画像を編集する工程と、
前記撮影編集装置から分離されて独立して配置された印刷装置が受信可能な状態で、前記撮影編集装置が編集済みの前記撮影画像を外部へ送信する工程と
を備えることを特徴とする撮影画像提供方法。
【発明の詳細な説明】
【技術分野】
【０００１】
本発明は、人物を撮影した撮影画像に編集を行ってユーザーに提供する撮影画像提供システムおよび撮影画像提供方法に関する。
【背景技術】
【０００２】
従来、人物を撮影して撮影画像をユーザーに提供する人物撮影装置が知られている。また、このような人物撮影装置では、特許文献１の写真シール作成装置のように落書き等の編集を撮影画像に行って、編集後の撮影画像をユーザーに提供するように構成されたものが一般的である。
【０００３】
ちなみに、特許文献１では、写真シールという形態で撮影画像をユーザーに提供している。しかしながら、近年では撮影画像のユーザーへの提供形態も多様化してきている。例えば特許文献２では、写真シール作成装置で撮影された撮影画像は、写真シール作成装置からサーバーにアップロードされ、ユーザーは携帯端末からサーバーにアクセスすることで撮影画像の提供を受ける。
【先行技術文献】
【特許文献】
【０００４】
【特許文献１】特開２０１２−０３９４１４号公報
【特許文献２】特開２０１３−１４１１９４号公報
【発明の概要】
【発明が解決しようとする課題】
【０００５】
こうした撮影画像の提供形態の多様化に伴って、撮影・編集は行うが印刷は行わないといったユーザーのニーズが増加することが想定される。しかしながら、上述の写真シール作成装置は、基本的に撮影から印刷までを行うことを前提としている。そのため、ユーザーは編集までができれば足りるのにも拘らず、例えば印刷条件（撮影画像のレイアウト等）の設定を行ったり、印刷の完了を待ったりするのに煩わされる場合があった。この点で、上述の写真シール作成装置は、ユーザーのニーズに的確に応えられるものではなかった。
【０００６】
本発明は、上記課題に鑑みなされたものであり、ユーザーのニーズに的確に応えることを可能とする撮影画像提供システムおよび撮影画像提供方法の提供を目的とする。
【課題を解決するための手段】
【０００７】
上記した目的を達成するために、本発明の撮影画像提供システムは、撮影編集装置および印刷装置を備え、前記撮影編集装置は、人物を撮影して撮影画像を取得する撮影手段と、前記撮影画像を編集する編集手段と、前記編集手段により編集された前記撮影画像を外部へ送信する送信手段とを有し、前記印刷装置は、前記撮影編集装置の前記送信手段が外部へ送信した前記撮影画像を受信する受信手段と、前記受信手段が受信した前記撮影画像を印刷媒体に印刷する印刷手段とを有し、前記撮影編集装置と前記印刷装置とは分離されており、互いに独立して配置されることを特徴としている（請求項１）。
【０００８】
また、前記送信手段は、前記撮影手段の被写体である人物を識別可能な第１識別情報を前記撮影画像に関連付けて外部に送信し、前記印刷手段は、ユーザーから入力された前記第１識別情報に対応する前記撮影画像を印刷するように、撮影画像提供システムを構成しても良い（請求項２）。
【０００９】
また、携帯端末からアクセス可能なサーバーをさらに備え、前記送信手段は、前記編集手段により編集された前記撮影画像を前記サーバーへ送信し、前記サーバーは、ユーザーからの要求に応じて前記撮影画像を前記携帯端末に送信するように、撮影画像提供システムを構成しても良い（請求項３）。
【００１０】
また、前記送信手段は、前記撮影手段の被写体である人物を識別可能な第２識別情報を前記撮影画像に関連付けて前記サーバーに送信し、前記サーバーは、ユーザーから入力された前記第２識別情報に対応する前記撮影画像を前記携帯端末に送信するように、撮影画像提供システムを構成しても良い（請求項４）。
【００１１】
また、前記第１識別情報と前記第２識別情報は互いに同一であるように、撮影画像提供システムを構成しても良い（請求項５）。
【００１２】
また、前記携帯端末に送信される撮影画像は、前記印刷手段に送信される撮影画像と比べて低い解像度を有するように、撮影画像提供システムを構成しても良い（請求項６）。
【００１３】
また、１台の前記印刷装置に対して複数台の前記撮影編集装置を備えるように、撮影画像提供システムを構成しても良い（請求項７）。
【００１４】
また、前記編集手段は、人物のパーツに対して編集を行うパーツ編集を行うように、撮影画像提供システムを構成しても良い（請求項８）。
【００１５】
また、前記編集手段は、ユーザーが操作可能な操作機器を有し、ユーザーが前記操作機器を操作した結果に基づいて前記撮影画像に落書きを加える落書き編集を行うように、撮影画像提供システムを構成しても良い（請求項９）。
【００１６】
上記した目的を達成するために、本発明の撮影画像提供方法は、撮影編集装置の撮影機能により人物を撮影して撮影画像を取得する工程と、前記撮影編集装置の編集機能により前記撮影画像を編集する工程と、前記撮影編集装置から分離されて独立して配置された印刷装置が受信可能な状態で、前記撮影編集装置が編集済みの前記撮影画像を外部へ送信する工程とを備えることを特徴としている（請求項１０）。
【発明の効果】
【００１７】
請求項１に係る撮影画像提供システムによれば、人物の撮影画像の撮影および撮影画像の編集は撮影編集装置で実行され、編集済みの撮影画像の印刷は印刷装置で実行される。したがって、印刷を望むユーザーは、撮影編集装置で撮影画像の撮影・編集を行ってから印刷装置で撮影画像の印刷を行うことで、印刷された撮影画像の提供を受けることができる。また、撮影編集装置と印刷装置とは分離されており、互いに独立して配置される。そのため、印刷を望まないユーザーは撮影編集装置のみを利用すればよく、例えば印刷条件を設定したり印刷の完了を待ったりするのに煩わされることが無い。こうして本発明では、ユーザーのニーズに的確に応えることが可能となっている。
【００１８】
ちなみに、請求項１に係る撮影画像提供システムでは、撮影編集装置が撮影画像を送信手段により外部へ送信し、印刷装置が当該撮影画像を受信手段により受信することができる。この撮影画像の送受信は、撮影編集装置の送信手段から印刷装置の受信手段へ直接転送する形態で行われても良いし、撮影編集装置の送信手段から外部装置にアップロードされた後に印刷装置の受信手段が外部装置からダウンロードする形態で行われても良い。
【００１９】
請求項２に係る撮影画像提供システムによれば、送信手段は、撮影手段の被写体である人物を識別可能な第１識別情報を撮影画像に関連付けて外部に送信する。そして、印刷手段は、ユーザーから入力された第１識別情報に対応する撮影画像を印刷する。したがって、ユーザーは、第１識別情報に基づいて適切な人物の撮影画像を印刷することができる。
【００２０】
請求項３に係る撮影画像提供システムによれば、送信手段は、撮影画像をサーバーへ送信する。そして、サーバーは、ユーザーからの要求に応じて当該撮影画像を携帯端末に送信する。したがって、ユーザーは、携帯端末に対する撮影画像の提供を受けることができる。
【００２１】
請求項４に係る撮影画像提供システムによれば、送信手段は、撮影手段の被写体である人物を識別可能な第２識別情報を撮影画像に関連付けてサーバーに送信する。そして、サーバーは、ユーザーから入力された第２識別情報に対応する撮影画像を携帯端末に送信する。したがって、ユーザーは、第２識別情報に基づいて適切な人物の撮影画像の提供を携帯端末に受けることができる。
【００２２】
請求項５に係る撮影画像提供システムによれば、第１識別情報と第２識別情報は互いに同一である。したがって、ユーザーは印刷装置およびサーバーのそれぞれについて同一の識別情報を管理すれば足り、ユーザーによる識別情報の管理が容易となっている。
【００２３】
請求項６に係る撮影画像提供システムによれば、携帯端末に送信される撮影画像は、印刷手段に送信される撮影画像と比べて低い解像度を有する。つまり、送信対象に応じた適切な解像度で撮影画像を送信することができる。
【００２４】
請求項７に係る撮影画像提供システムによれば、１台の印刷装置に対して複数台の撮影編集装置が設けられる。かかる構成は、印刷を望まないユーザーのニーズの増大に対してより的確に対応することができる。また、撮影画像提供システムを設置する事業者にとっては、ユーザーのニーズに対応しつつ印刷装置の台数を抑えることができ、当該システムの導入コストを削減できるといった利点がある。
【００２５】
請求項８に係る撮影画像提供システムによれば、ユーザーは撮影画像に対してパーツ編集を行うことができる。
【００２６】
請求項９に係る撮影画像提供システムによれば、ユーザーは撮影画像に対して落書き編集を行うことができる。
【００２７】
請求項１０に係る撮影画像提供方法によれば、人物の撮影画像の撮影および撮影画像の編集は撮影編集装置で実行され、編集済みの撮影画像は印刷装置により受信可能な状態で撮影編集装置の外部へ送信される。したがって、印刷を望むユーザーは、撮影編集装置で撮影画像の撮影・編集を行ってから当該撮影画像を受信した印刷装置で印刷を行うことで、印刷された撮影画像の提供を受けることができる。また、撮影編集装置と印刷装置とは分離されており、互いに独立して配置される。そのため、印刷を望まないユーザーは撮影編集装置のみを利用すれば良く、例えば印刷条件を設定したり印刷の完了を待ったりするのに煩わされることがない。こうして本発明では、ユーザーのニーズに的確に応えることが可能となっている。
【００２８】
ちなみに、請求項１０に係る撮影画像提供方法では、撮影編集装置が撮影画像を外部へ送信し、印刷装置が当該撮影画像を受信することができる。この撮影画像の送受信は、撮影編集装置から印刷装置へ直接転送する形態で行われても良いし、撮影編集装置から外部装置にアップロードされた後に印刷装置が外部装置からダウンロードする形態で行われても良い。
【図面の簡単な説明】
【００２９】
【図１】本発明を適用した撮影画像提供システムの一例を模式的に示す図である。
【図２】撮影編集装置が具備する電気的構成の一例を模式的に示すブロック図である。
【図３】印刷装置が具備する電気的構成の一例を模式的に示すブロック図である。
【図４】撮影編集装置１０が実行する編集動作の一例を示すフローチャートである。
【図５】印刷装置１００が実行する印刷動作の一例を示すフローチャートである。
【発明を実施するための形態】
【００３０】
図１は、本発明を適用した撮影画像提供システムの一例を模式的に示す図である。同図では、撮影画像提供システム１の他にインターネットＮおよび携帯端末Ｐが併記されている。同図に示すように、撮影画像提供システム１は、複数台（３台）の撮影編集装置１０、１台の印刷装置１００およびローカルエリアネットワークＬを備え、各撮影編集装置１０がローカルエリアネットワークＬによって印刷装置１００に接続されている。そして、各撮影編集装置１０は撮影・編集した撮影画像をローカルエリアネットワークＬを介して印刷装置１００に送信し、印刷装置１００は受信した撮影画像をシール台紙（印刷媒体）に印刷する。特に撮影画像提供システム１では、撮影編集装置１０の筐体１１と印刷装置１０の筐体１０１とが別々に設けられており、撮影編集装置１０と印刷装置１００とは分離されて、互いに独立して配置されている。
【００３１】
さらに、撮影画像提供システム１はインターネットサーバーＳを備え、各撮影編集装置１０はインターネットＮを介してインターネットサーバーＳに撮影画像をアップロードする。したがって、インターネットＮを介してインターネットサーバーＳの撮影画像をユーザーの携帯端末Ｐ（携帯電話、スマートフォン、タブレット型のコンピューター、ノート型のコンピューター等）にダウンロードすることが可能となっている。
【００３２】
図２は、撮影編集装置が具備する電気的構成の一例を模式的に示すブロック図である。この撮影編集装置１０は、筐体１１（図１）に撮影ブース２および編集ブース３を形成した概略構成を備え、ユーザー（遊戯者）は各ブース２、３において撮影および編集を順番に行うことができる。
【００３３】
撮影ブース２の外壁には、コイン受付部２０３が設けられており、ユーザーは、所定の遊戯料金（例えば、３００円）のコインを投入口に投入した後に、撮影ブース２内に移動して撮影を行うことができる。撮影ブース２内では、ユーザーの後方にクロマキーカーテン（図示せず）が配置されるとともに、ユーザーの前方に撮影装置２１および撮影部モニター２２が配置されており、撮影装置２１および撮影部モニター２２が撮影ブース２内のユーザーに対向する。撮影装置２１は、ＣＣＤ(Charge Coupled Device)カメラ等で構成され、クロマキーカーテンを背景にして撮影ブース２内のユーザーの画像を撮影する。撮影部モニター２２は、ＬＣＤ(Liquid Crystal Display)等で構成され、撮影装置２１が捉えた画像をユーザーに向けて表示する。したがって、ユーザーは、撮影装置２１が捉えた画像を撮影部モニター２２で確認しながら、撮影装置２１による撮影を行うことができる。
【００３４】
また、撮影ブース２では、蛍光灯２３、ストロボ発光部２４１およびストロボ制御装置２４２といった照明系が設けられている。蛍光灯２３は、撮影ブース２内のユーザーを前方および上方から照らして、撮影装置２１による撮影に必要な露光量を確保し、ストロボ発光部２４１は、撮影装置２１が撮影を行う瞬間にユーザーを照らして、撮影時における影の発生を抑える。この際、ストロボ発光部２４１の発光タイミングや発光量は、ストロボ制御装置２４２によって制御される。
【００３５】
この撮影ブース２は、撮影装置２１によって静止画（写真）の他に動画（ムービー）も撮影することができる。そこで、撮影ブース２は、動画撮影時にユーザーを照らすムービー用照明装置２５や、動画撮影時に撮影ブース２内の音声を録音するムービー用音声録音装置２６を有する。さらに、撮影ブース２は、静止画および動画の撮影手順の音声案内や、動画撮影時のＢＧＭ(Background Music)等を出力する撮影部スピーカー２７を有する。
【００３６】
そして、ユーザーは、撮影ブース２で撮影した撮影画像ＩＭの編集を編集ブース３で行うことができる。編集ブース３は、編集モニター３１、入力ペン３２および編集部スピーカー３３を有する。編集モニター３１は、ＬＣＤ等で構成され、編集対象となる撮影画像ＩＭや編集内容を選択するためのボタンをユーザーに向けて表示する。入力ペン３２は編集モニター３１の近傍に用意されており、ユーザーは、入力ペン３２により編集モニター３１を操作することで所定の編集を撮影画像ＩＭに施すことができる。また、編集部スピーカー３３は編集手順の音声案内や編集時のＢＧＭ等を出力する。
【００３７】
かかる編集ブース３では、撮影画像ＩＭに対して文字や絵等の落書きをする落書き編集を実行できる。さらに、編集ブース３では、撮影画像ＩＭ中の人物パーツ（黒目、髪の毛、肌、顔等）毎に色、サイズ、形状等を変更するパーツ編集（メイク）を実行できる。すなわち、ユーザーは、編集モニター３１において撮影画像ＩＭ中の人物パーツに触れることで、パーツ編集の対象となる人物パーツを選択できる。さらに、ユーザーは、編集モニター３１に表示されたボタンのうち所望の編集内容を示すボタンに触れることで、当該ボタンが示すパーツ編集を、選択した人物パーツに実行できる。パーツ編集の具体的内容としては種々のものがあり、例えば撮影画像ＩＭ中の人物の黒目（瞳）の色を変更したり、黒目を大きくしたり、髪の毛の色を変更したり、肌の色や艶を変更したり、肌に化粧を施したり、顔のサイズを小さくしたりといったパーツ編集が可能である。
【００３８】
図２に示すように、撮影編集装置１０は、撮影ブース２および編集ブース３の制御を司る主制御装置６を有する。主制御装置６は、ＣＰＵ(Central Processing Unit)６１、メモリー６２およびＨＤＤ (Hard disk drive) ６３で構成されたコンピューターである。ＣＰＵ６１は、主制御装置６における基本プログラムの他、撮影プログラムおよび編集プログラム等の各種プログラムを実行する。メモリー６２は、フラッシュメモリー等の不揮発性メモリーおよびＲＡＭ(Random Access Memory)で構成されており、ＣＰＵ６１で実行される各種プログラムや画像データ等を書換可能に一時記憶する。ＨＤＤ６３は、ＣＰＵ６１で実行される各種プログラムや撮影画像ＩＭ等の各種データを保存する。さらに、主制御装置６は、各スピーカー２７、３３による音声案内を制御する音声制御装置６４も備える。
【００３９】
かかる主制御装置６は、ＣＰＵ６１により撮影プログラムを実行することで、撮影ブース２での人物の撮影を実行して撮影画像ＩＭを取得し、当該撮影画像ＩＭをＨＤＤ６３に保存する。また、主制御装置６は、ＣＰＵ６１により編集プログラムを実行することで、撮影画像ＩＭに落書き編集を実行する。具体的には、編集ブース３でのユーザーの入力に応じて落書き画像を生成し、撮影ブース２で取得した撮影画像ＩＭに落書き画像を合成する。こうして落書き編集済みの撮影画像ＩＭが生成される。
【００４０】
さらに、主制御装置６は、ＣＰＵ６１により編集プログラムを実行することで、パーツ編集を実行する。具体的には、主制御装置６は、撮影画像ＩＭのパーツ編集に必要となるパーツ情報を撮影画像ＩＭから抽出する。このパーツ情報は、パーツ編集の実行単位となる人物パーツ（黒目、髪の毛、顔等）それぞれが撮影画像ＩＭ中に占める領域（座標データ）を人物パーツ毎に示すデータである。そして、編集モニター３１に表示された撮影画像ＩＭ中にユーザーがパーツ編集の対象となる位置を指定すると、主制御装置６は、ユーザーの指定位置に対応する人物パーツをパーツ情報に基づき特定し、当該人物パーツに所定のパーツ編集を実行する。これによって、各人物パーツにパーツ編集を個別に行うことが出来る。そして、落書き編集およびパーツ編集が施された撮影画像ＩＭがＨＤＤ６３に保存される。
【００４１】
また、撮影編集装置１０は、主制御装置６と撮影ブース２との信号の入出力を制御する入出力制御装置７１と、主制御装置６から外部装置へデータを出力する通信装置７３とを備える。この通信装置７３は、インターネットＮに接続された第１通信部７３１と、ローカルエリアネットワークＬに接続された第２通信部７３２とを有する。
【００４２】
かかる構成では、撮影編集装置１０は、通信装置７３の第１通信部７３１を介してインターネットサーバーＳに撮影画像ＩＭをアップロードすることができる。具体的には、撮影編集装置１０は、撮影画像ＩＭとともに、当該撮影画像ＩＭの被写体である人物を識別可能な識別情報ＩＤを撮影画像ＩＭと関連付けてインターネットサーバーＳにアップロードする（図１）。したがって、ユーザーは、識別情報ＩＤに基づきインターネットサーバーＳに保存された撮影画像ＩＭにアクセスし、当該撮影画像ＩＭを携帯端末Ｐにダウンロードすることができる。具体的には、ユーザーが携帯端末ＰからインターネットサーバーＳに識別情報ＩＤを送信すると、インターネットサーバーＳは識別情報ＩＤに対応する撮影画像ＩＭを携帯端末Ｐにダウンロードする。ちなみに、識別情報ＩＤとしては、ユーザーが編集モニター３１を介して入力したユーザーの名前、ハンドルネーム、電話番号あるいはメールアドレス等を用いることができる。
【００４３】
さらに、撮影編集装置１０は、通信装置７３の第２通信部７３２を介して外部の印刷装置１００に撮影画像ＩＭを送信することができる。具体的には、撮影編集装置１０は、撮影画像ＩＭとともに、識別情報ＩＤを撮影画像ＩＭに関連付けて印刷装置１００に送信する（図１）。したがって、ユーザーは、識別情報ＩＤに基づき印刷装置１００に保存された撮影画像ＩＭにアクセスして、当該撮影画像ＩＭを印刷することができる。具体的には、ユーザーが印刷装置１００において識別情報ＩＤを入力すると、印刷装置１００は識別情報ＩＤに対応する撮影画像ＩＭを印刷する。
【００４４】
図３は、印刷装置が具備する電気的構成の一例を模式的に示すブロック図である。この印刷装置１００は、印刷ブース１１０、主制御装置１２０および通信装置１３０を有する。そして、主制御装置１２０は印刷ブース１１０および通信装置１３０を制御することで、通信装置１３０がローカルエリアネットワークＬを介して撮影編集装置１０から受信した撮影画像ＩＭを、ユーザーの要求に応じて印刷ブース１１０により印刷する。
【００４５】
印刷ブース１１０は、印刷部モニター１１１、プリンター１１２、シール排出口１１３（図１）、コイン受付部１１４および印刷部スピーカー１１５を有する。印刷部モニター１１１はＬＣＤ等で構成され、印刷対象となる撮影画像ＩＭ（静止画）をユーザーに向けて表示する。また、印刷部モニター１１１は、印刷する撮影画像ＩＭの選択、撮影画像ＩＭのレイアウト、背景、印刷枚数および印刷サイズといった印刷条件の設定画面をユーザーに向けて表示し、ユーザーは印刷部モニター１１１（印刷条件設定部）を操作することで印刷条件を設定できる。この際、印刷部モニター１１１の操作は、ユーザーがペンや指で印刷部モニター１１１に触れたり、印刷部モニター１１１とは別に設けられたボタンを押したりすることで実行できる。
【００４６】
プリンター１１２は、インクジェット方式のプリンター等で構成され、印刷部モニター１１１に表示された撮影画像ＩＭをシール台紙に印刷する。こうしてシール台紙に印刷された撮影画像ＩＭは、シール排出口１１３から排出されてユーザーに提供される。また、印刷ブース１１０には、コイン受付部１１４が設けられており、ユーザーは、所定の遊戯料金（例えば、１００円）のコインを投入口に投入した後に、撮影画像ＩＭをシール台紙に印刷することができる。また、印刷部スピーカー１１５は、印刷手順の音声案内や印刷時のＢＧＭ等を出力する。
【００４７】
主制御装置１２０は、ＣＰＵ１２１、メモリー１２２およびＨＤＤ１２３で構成されたコンピューターである。ＣＰＵ１２１は、主制御装置１２０における基本プログラムの他、印刷プログラム等の各種プログラムを実行する。メモリー１２２は、フラッシュメモリー等の不揮発性メモリーおよびＲＡＭで構成されており、ＣＰＵ１２１で実行される各種プログラムやデータ等を書換可能に一時記憶する。ＨＤＤ１２３は、ＣＰＵ１２１で実行される各種プログラムや撮影画像ＩＭ等の各種データを保存する。さらに、主制御装置１２０は、印刷部スピーカー１１５による音声案内を制御する音声制御装置１２４も備える。
【００４８】
かかる主制御装置１２０は、ＣＰＵ１２１により印刷プログラムを実行することで、通信装置１３０を介して撮影編集装置１０から受信した撮影画像ＩＭをシール台紙に印刷する。具体的には、主制御装置１２０は、受信した撮影画像ＩＭおよび識別情報ＩＤのそれぞれを相互に関連付けてＨＤＤ１２３に保存する。続いて、ユーザーが印刷部モニター１１１を操作して識別情報ＩＤを入力すると、ＣＰＵ１２１は当該識別情報ＩＤに対応する撮影画像ＩＭを印刷部モニター１１１に表示する。そして、ユーザーが設定した印刷条件に応じて、当該識別情報ＩＤに対応する撮影画像ＩＭをシール台紙に印刷する。
【００４９】
続いては、図４および図５を用いて、以上の構成を具備する撮影画像提供システム１が実行する動作例、特に撮影画像ＩＭの編集および印刷に関する動作について説明する。図４は、撮影編集装置１０が実行する編集動作の一例を示すフローチャートである。図５は、印刷装置１００が実行する印刷動作の一例を示すフローチャートである。図４のフローチャートは、撮影編集装置１０の主制御装置６の制御によって実行され、図５のフローチャートは、印刷装置１００の主制御装置１２０の制御によって実行される。
【００５０】
図４のフローチャートでは、撮影編集装置１０において主制御装置６がデモムービーを開始し、編集モニター３１にデモムービーが映される（ステップＳ１０１）。ステップＳ１０２では、撮影ブース２から落書きスタートの信号が出力されたかが確認され、落書きスタート信号が出力されると（ステップＳ１０２で「ＹＥＳ」）、落書きの開始をユーザーに案内する表示が編集モニター３１に映される（ステップＳ１０３）。なお、落書きスタートの信号は、例えば撮影ブース２における撮影画像ＩＭの撮影が完了して、編集対象となる撮影画像ＩＭの準備が整ったタイミングで、撮影ブース２から主制御装置６へ出力される。
【００５１】
ステップＳ１０４では、ユーザーによる編集モニター３１の操作によって、写真イメージが選択される。具体的には、目や顔といった人物パーツのサイズを変更する上述のパーツ編集を行ったり、写真の明るさを選択したりすることで、写真（撮影画像ＩＭ）のイメージが選択される。また、ステップＳ１０５では、ユーザーによる編集モニター３１の操作によって撮影画像ＩＭへの落書き編集が実行される。こうしてステップＳ１０４、Ｓ１０５での処理を受けた撮影画像ＩＭはＨＤＤ６３に保存される。
【００５２】
ステップＳ１０６では、撮影ブース２においてムービー撮影が実行されたか否かが判断される。そして、ムービー撮影が実行されていた場合（ステップＳ１０６で「ＹＥＳ」の場合）、ユーザーによる編集モニター３１の操作に基づいてムービーへの落書き編集が実行される。この動画への落書き編集は、例えばユーザーの入力に応じた落書き画像を前景としてムービーに合成することにより行われ、所定の設定時間の経過あるいはユーザーによる編集終了指示の入力によって終了する。一方、撮影ブース２でムービー撮影が実行されなかった場合（ステップＳ１０６で「ＮＯ」の場合）、あるいは動画への落書き編集（ステップＳ１０７）が終了すると、ステップＳ１０８に進む。
【００５３】
ステップＳ１０８では、印刷が必要か否かを判断する。具体的には、主制御装置６は、印刷を実行するか否かをユーザーに問う表示を編集モニター３１に行う。そして、ユーザーが編集モニター３１を操作して印刷の実行を選択した場合（ステップＳ１０８で「ＹＥＳ」の場合）、主制御装置６は、撮影画像ＩＭと識別情報ＩＤとを相互に関連付けて印刷装置１００に転送する（ステップＳ１０９）。一方、ユーザーが印刷の実行を選択しなかった場合（ステップＳ１０８で「ＮＯ」の場合）あるいは撮影画像ＩＭおよび識別情報ＩＤの転送（ステップＳ１０９）が終了すると、落書きの終了をユーザーに案内する表示を編集モニター３１に映し出して（ステップＳ１１０）、図４のフローチャートを終了する。
【００５４】
図５のフローチャートでは、印刷装置１００において、ユーザーが印刷部モニター１１１を操作して識別情報ＩＤを入力すると、主制御装置１２０は入力された識別情報ＩＤを受け付けて、当該識別情報ＩＤに対応する撮影画像ＩＭをＨＤＤ１２３から読み出す（ステップＳ２０１）。続いて、コイン受付部１１４への遊戯料金の投入を受け付けて、ステップＳ２０１で読み出した撮影画像ＩＭを印刷部モニター１１１に表示する（ステップＳ２０２）。ステップＳ２０３では、ユーザーは印刷部モニター１１１を操作することで、撮影ブース２で撮影した全写真（撮影画像ＩＭ）の中から例えば４〜６枚の写真を選択することができる。
【００５５】
さらに、ユーザーは、選択した写真のレイアウトを決定することでプリントイメージを選択する（ステップＳ２０４）。続くステップＳ２０５では、印刷の受け付けを終了する旨をユーザーに案内する表示を編集モニター３１に映し出すとともに、撮影画像ＩＭの印刷とユーザーへの印刷案内（具体的には、撮影画像ＩＭが印刷されたシール台紙がシール排出口１１３から排出される旨の案内）を行って、図５のフローチャートを終了する。
【００５６】
以上に説明したように、本実施形態によれば、人物の撮影画像ＩＭの撮影および撮影画像ＩＭの編集は撮影編集装置１０で実行され、編集済みの撮影画像ＩＭの印刷は印刷装置１００で実行される。したがって、印刷を望むユーザーは、撮影編集装置１０で撮影画像ＩＭの撮影・編集を行ってから印刷装置１００で撮影画像ＩＭの印刷を行うことで、印刷された撮影画像ＩＭの提供を受けることができる。また、撮影編集装置１０と印刷装置１００とは分離されており、互いに独立して配置されている。そのため、印刷を望まないユーザーは撮影編集装置１０のみを利用すればよく、例えば印刷条件を設定したり印刷の完了を待ったりするのに煩わされることが無い。こうして本実施形態では、ユーザーのニーズに的確に応えることが可能となっている。
【００５７】
さらに、本実施形態によれば、撮影編集装置１０において印刷条件の設定に要する時間を排することができる。そのため、より多くの時間を撮影画像ＩＭの編集（落書き編集、パーツ編集）に割り当てることができ、ユーザーの満足度の向上を図ることができる。また、印刷を行わないユーザーにとっては、印刷に要する遊戯料金を抑えることもできる。また、撮影編集装置１０と印刷装置１００とが別筐体であるため、レイアウトの自由度が高いといった利点もある。
【００５８】
また、撮影編集装置１０の通信装置７３は、撮影ブース２の被写体である人物を識別可能な識別情報ＩＤ（第１識別情報）を撮影画像ＩＭに関連付けて外部に送信する。そして、印刷装置１００の撮影編集装置１０は、ユーザーから入力された識別情報ＩＤに対応する撮影画像ＩＭを印刷する。したがって、ユーザーは、識別情報ＩＤに基づいて適切な人物の撮影画像ＩＭを印刷することができる。
【００５９】
また、撮影編集装置１０の通信装置７３は、撮影画像ＩＭをインターネットサーバーＳへ送信する。そして、インターネットサーバーＳは、ユーザーからの要求に応じて当該撮影画像ＩＭを携帯端末Ｐに送信する。したがって、ユーザーは、携帯端末Ｐに対する撮影画像ＩＭの提供を受けることが可能となっている。
【００６０】
しかも、撮影編集装置１０の通信装置７３は、撮影ブース２の被写体である人物を識別可能な識別情報ＩＤ（第２識別情報）を撮影画像ＩＭに関連付けてインターネットサーバーＳに送信する。そして、インターネットサーバーＳは、ユーザーから入力された識別情報ＩＤに対応する撮影画像ＩＭを携帯端末Ｐに送信する。したがって、ユーザーは、識別情報ＩＤに基づいて適切な人物の撮影画像ＩＭの提供を携帯端末Ｐに受けることができる。
【００６１】
この際、印刷装置１００に送信される識別情報ＩＤとインターネットサーバーＳに送信される識別情報ＩＤとは互いに同一である。したがって、ユーザーは印刷装置１００およびインターネットサーバーＳのそれぞれについて同一の識別情報ＩＤを管理すれば足り、ユーザーによる識別情報ＩＤの管理が容易となっている。
【００６２】
また、撮影画像提供システム１では、１台の印刷装置１００に対して複数台の撮影編集装置１０が設けられる。かかる構成は、印刷を望まないユーザーのニーズの増大に対してより的確に対応することができる。また、撮影画像提供システム１を設置する事業者にとっては、ユーザーのニーズに対応しつつ、撮影編集装置１０の台数を増やしたり、印刷装置１００の台数を抑えたりすることができ、当該システムの導入コストを削減できるといった利点がある。
【００６３】
なお、本発明は上記の例に限定されるものではなく、その趣旨を逸脱しない限りにおいて上述したもの以外に種々の変更を行うことが可能である。例えば、撮影編集装置１０から印刷装置１００への撮影画像ＩＭの送受信の形態は上記の内容に限られず、変更が可能である。つまり、上記実施形態では、撮影画像ＩＭの送受信は、撮影編集装置１０から印刷装置１００へ撮影画像ＩＭを直接転送する形態で行われていた。しかしながら、印刷装置１００からアクセス可能な外部装置に撮影編集装置１０が撮影画像ＩＭをアップロードしておけば、印刷装置１００は適当なタイミングで外部装置にアクセスして撮影画像ＩＭをダウンロードできる。要するに、撮影編集装置１０から印刷装置１００への送受信を直接あるいは外部装置を介して行うかを問わず、撮影編集装置１０は、印刷装置１００が受信可能な状態で外部へ撮影画像ＩＭを送信すればよい。なお、識別情報ＩＤの送受信についても同様である。
【００６４】
また、上記実施形態では特に説明しなかったが、印刷装置１００へ送信される撮影画像ＩＭの解像度や、携帯端末Ｐへ送信される撮影画像ＩＭの解像度もそれぞれ適宜設定可能である。ちなみに、印刷装置１００では比較的狭いエリアに精細な撮影画像ＩＭを印刷する必要があるのに対して、携帯端末Ｐでは比較的広いエリアに撮影画像ＩＭを表示すれば足りる。そこで、携帯端末Ｐに送信される撮影画像ＩＭの解像度は、印刷装置１００に送信される撮影画像ＩＭの解像度よりも低くても良い。具体的には、インターネットサーバーＳにアップロードする撮影画像ＩＭの解像度（例えば、６００ｄｐｉ）を、印刷装置１００に送信する撮影画像ＩＭの解像度（例えば、２４００ｄｐｉ）よりも低く設定すればよい。
【００６５】
また、撮影編集装置１０から印刷装置１００やインターネットサーバーＳに対しては、編集後の撮影画像ＩＭのみならず、編集前の撮影画像ＩＭも送信するように構成しても構わない。
【００６６】
また、上記実施形態では、識別情報ＩＤとしてユーザーが入力するメールアドレス等を用いた場合が示されていた。しかしながら、撮影画像ＩＭに固有の一次元あるいは二次元バーコードを主制御装置６が発行して、印刷装置１００やインターネットサーバーＳに送信するように構成しても良い。
【００６７】
また、上記実施形態では、印刷装置１００およびインターネットサーバーＳのそれぞれに同一の識別情報ＩＤを送信していた。しかしながら、これらに異なる識別情報ＩＤを送信しても構わない。
【符号の説明】
【００６８】
１…撮影画像提供システム
１０…撮影編集装置
２…撮影ブース（撮影手段）
２０３…コイン受付部
２１…撮影装置
２２…撮影部モニター
３…編集ブース（編集手段）
３１…編集モニター
３２…入力ペン
６…主制御装置
７３…通信装置（送信手段）
１００…印刷装置
１１０…印刷ブース
１１１…印刷部モニター
１１２…プリンター（印刷手段）
１１３…シール排出口
１１４…コイン受付部
１２０…主制御装置
１３０…通信装置（受信手段）
ＩＭ…撮影画像
ＩＤ…識別情報（第１・第２識別情報）
Ｌ…ローカルエリアネットワーク
Ｎ…インターネット
Ｐ…携帯端末
Ｓ…インターネットサーバー（サーバー）
【図１】
2016014815.tif 000003
【図２】
2016014815.tif 000004
【図３】
2016014815.tif 000005
【図４】
2016014815.tif 000006
【図５】
2016014815.tif 000007